【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
遠位端を有する遠位部分を備える細長本体と、
前記遠位部分に配置された複数のフレキシブルセグメントと、
前記フレキシブルセグメントよりも柔軟性の低い少なくとも一の中間セグメントと、を備えており、
隣接する前記フレキシブルセグメントは前記少なくとも一の中間セグメントによって長手方向に離間しており、
前記複数のフレキシブルセグメントのそれぞれは側壁を有しており、
前記側壁は、少なくとも部分的に前記側壁上に伸びるとともに複数のインターロック部を形成する少なくとも一の細長い間隙を有することを特徴とするカテーテル装置。
【請求項２】
前記側壁は、対向してインターロックする複数のブロックを画定するスパイラル状のステム部を有することを特徴とする請求項１に記載のカテーテル装置。
【請求項３】
前記側壁は、前記細長い間隙を挟んで交互にインターロックする複数のブロックを有しており、
前記複数のブロックのそれぞれは、ネックと、前記ネックよりも幅広のヘッドとを有することを特徴とする請求項１又は２に記載のカテーテル装置。
【請求項４】
前記側壁は、第２ステム部をさらに有しており、
第１ステム部に接続する第１ネックを有する第１ヘッドが第２及び第３ヘッドの間に配置されており、
前記第２ヘッドは第２ネックを有しており、
前記第３ヘッドは第３ネックを有しており、
前記第２及び第３ネックは前記第２ステム部に接続されており、
前記第２及び第３ヘッドの間の間隔は、前記第１ヘッドの最大幅部分よりも短いことを特徴とする請求項１〜３のいずれか一項に記載のカテーテル装置。
【請求項５】
前記複数のブロックのそれぞれは、平坦なヘッドを有することを特徴とする請求項２〜４のいずれか一項に記載のカテーテル装置。
【請求項６】
前記複数のブロックのそれぞれは、台形であることを特徴とする請求項２〜５のいずれか一項に記載のカテーテル装置。
【請求項７】
前記複数のブロックのうち、同一のステム部に形成される複数のブロックは、ヘッドが同一平面上に配置されることを特徴とする請求項２〜６のいずれか一項に記載のカテーテル装置。
【請求項８】
前記複数のフレキシブルセグメントは電極を有しており、
前記少なくとも一の中間セグメントは非導電性部を有することを特徴とする請求項１〜７のいずれか一項に記載のカテーテル装置。
【請求項９】
少なくとも部分的に前記遠位部分内を伸びるとともに、ルーメン側壁と、前記ルーメン側壁の内側に伸びるルーメンとを有するルーメン部をさらに備えることを特徴とする請求項１〜８のいずれか一項に記載のカテーテル装置。
【請求項１０】
前記ルーメン部は、前記ルーメン部内に伸びる複数の開口部を有することを特徴とする請求項９に記載のカテーテル装置。
【請求項１１】
前記側壁は、少なくとも一の細長い間隙を有する略円筒状の側壁であり、
前記少なくとも一の細長い間隙は、前記側壁の外周の一部に沿った環状の間隙及び前記側壁にらせんパターンを形成するらせん状の間隙からなる群より選ばれた１種以上の間隙であることを特徴とする請求項１〜１０のいずれか一項に記載のカテーテル装置。
【請求項１２】
前記側壁は、少なくとも部分的に前記側壁内を伸びる複数の細長い間隙を有する略円筒状の側壁であり、
前記間隙は、前記側壁の外周の一部に沿った環状の間隙と、前記側壁にらせんパターンを形成するらせん状の間隙と、交互にインターロックするブロックを画定する間隙のうちの１つ又は複数であることを特徴とする請求項１〜１０のいずれか一項に記載のカテーテル装置。
【請求項１３】
前記少なくとも一の細長い間隙は、その全体が前記側壁内を伸びることを特徴とする請求項１〜１２のいずれか一項に記載のカテーテル装置。
【請求項１４】
前記側壁を予め決定された形状に弾性的に付勢するバイアス部をさらに備えることを特徴とする請求項１〜１３のいずれか一項に記載のカテーテル装置。
【請求項１５】
前記少なくとも一の細長い間隙は、コルゲート状パターンを画定することを特徴とする請求項１〜１４のいずれか一項に記載のカテーテル装置。
【請求項１６】
前記少なくとも一の中間セグメントは、前記フレキシブルセグメントよりも短いことを特徴とする請求項１〜１５のいずれか一項に記載のカテーテル装置。
【請求項１７】
遠位端と、
複数のフレキシブルセグメントと、
少なくとも一の中間セグメントと、を備えており、
隣接する前記フレキシブルセグメントは前記少なくとも一の中間セグメントによって長手方向に離間しており、
前記複数のフレキシブルセグメントのそれぞれは側壁を有しており、
前記側壁は、少なくとも部分的に前記側壁上に伸びるとともにインターロック部を形成する少なくとも一の細長い間隙を有しており、
前記少なくとも一の中間セグメントは前記フレキシブルセグメントよりも短く、
前記細長い間隙は、前記フレキシブルセグメントに柔軟性を付与するとともに、長手方向軸に対して異なる形状で作用することを許容することを特徴とするカテーテル用遠位部分。
【請求項１８】
前記複数のフレキシブルセグメントは、少なくとも一のステム部と、前記ステム部を横断する方向で対向する複数のブロックとを有することを特徴とする請求項１７に記載のカテーテル用遠位部分。
【請求項１９】
前記複数のフレキシブルセグメントは、前記細長い間隙を挟んで交互にインターロックする複数のブロックを有しており、
前記複数のブロックのそれぞれは、ネックと、前記ネックよりも幅広のヘッドとを有することを特徴とする請求項１７又は１８に記載の遠位部分。
【請求項２０】
前記複数のフレキシブルセグメントは、第２ステム部をさらに有しており、
第１ステム部に接続する第１ネックを有する第１ヘッドが第２及び第３ヘッドの間に配置されており、
前記第２ヘッドは第２ネックを有しており、
前記第３ヘッドは第３ネックを有しており、
前記第２及び第３ネックは前記第２ステム部に接続されており、
前記第２及び第３ヘッドの間の間隔は、前記第１ヘッドの最大幅部分よりも短いことを特徴とする請求項１７〜１９のいずれか一項に記載の遠位部分。
【請求項２１】
前記複数のブロックのそれぞれは、平坦なヘッドを有することを特徴とする請求項１８〜２０のいずれか一項に記載の遠位部分。
【請求項２２】
前記複数のブロックのそれぞれは、台形であることを特徴とする請求項１８〜２１のいずれか一項に記載の遠位部分。
【請求項２３】
前記複数のブロックのうち、同一のステム部に形成される複数のブロックは、ヘッドが同一平面上に配置されることを特徴とする請求項１８〜２２のいずれか一項に記載の遠位部分。
【請求項２４】
前記異なる構成は、静止長さを有する形状、短縮形状、略直線形状、屈曲形状、及び異なる断面形状を有する複数の形状のうちの少なくとも一を含むことを特徴とする請求項１７〜２３のいずれか一項に記載の遠位部分。
【請求項２５】
少なくとも部分的に前記遠位部分内を伸びるとともに、ルーメン側壁と、前記ルーメン側壁の内側に伸びるルーメンとを有するルーメン部をさらに備えることを特徴とする請求項１７〜２４のいずれか一項に記載の遠位部分。
【請求項２６】
前記複数のフレキシブルセグメントを予め決定された形状に弾性的に付勢する少なくとも一のバイアス部をさらに備えることを特徴とする請求項１７〜２５のいずれか一項に記載の遠位部分。
【請求項２７】
遠位部分と近位部分とを備える細長本体と、
側壁を有しているとともに、前記遠位部分に配置された複数のフレキシブル電極と、
前記側壁を前記細長本体の長手方向軸に向かって弾性的に付勢するバイアス部と、
前記フレキシブル電極の少なくとも一よりも柔軟性の低い少なくとも一の中間非導電性セグメントと、を備えており、
前記側壁は、少なくとも部分的に前記側壁上に伸びるとともにインターロック部を形成する少なくとも一の細長い間隙を有しており、
隣接する前記フレキシブル電極は前記少なくとも一の中間非導電性セグメントによって長手方向に離間していることを特徴とするカテーテル。